(57)【要約】測定重量を順次記憶させる測定重量記憶制御部３３と、それぞれ異なる平均処理パラメータが予め設定された複数の測定モードを記憶する測定モード記憶部４２と、複数の測定モードの内から一つの測定モードを選択する入力操作を行う測定モード用入力部７２と、測定モードの平均処理パラメータに基づいて、複数の測定重量を平均して平均重量を算出し、平均重量を表示部６０に表示する平均重量表示制御部３１とを備える電子天秤１であって、さらに、選択された測定モードの平均処理パラメータに変更を加える入力操作を行う追加変更用入力部７１を備え、平均重量表示制御部３１は、変更を加えられた平均処理パラメータに基づいて、複数の測定重量を平均して平均重量を算出し、平均重量を表示部６０に表示することを特徴とする。
2009031190.tif 000002
【特許請求の範囲】
【請求項１】
被計量物の重量を次々と検出することにより、検出した測定重量を測定重量記憶部に順次記憶させる測定重量記憶制御部と、
それぞれ異なる平均処理パラメータが予め設定された複数の測定モードを記憶する測定モード記憶部と、
前記測定モード記憶部に記憶された複数の測定モードの内から一つの測定モードを選択する入力操作を行う測定モード用入力部と、
選択された測定モードの平均処理パラメータに基づいて、前記測定重量記憶部に記憶された複数の測定重量を平均して平均重量を算出し、当該平均重量を表示部に表示する平均重量表示制御部とを備える電子天秤であって、
さらに、選択された測定モードの平均処理パラメータに変更を加える入力操作を行う追加変更用入力部を備え、
前記平均重量表示制御部は、変更を加えられた平均処理パラメータに基づいて、複数の測定重量を平均して平均重量を算出し、当該平均重量を表示部に表示することを特徴とする電子天秤。
【請求項２】
前記平均処理パラメータは、平均処理する測定重量の数であるサンプリング数であり、
前記平均重量表示制御部は、前記選択された測定モードのサンプリング数を基準にしてサンプリング数が大きくなるように変更が加えられることにより、表示する平均重量の安定性を改善し、一方、前記選択された測定モードのサンプリング数を基準にしてサンプリング数が小さくなるように変更が加えられることにより、表示する平均重量の応答性を改善することを特徴とする請求項１に記載の電子天秤。
【請求項３】
前記平均重量表示制御部は、前記測定重量記憶部に測定重量が順次記憶されていくと、平均処理する測定重量の数であるサンプリング数の測定重量の移動平均である第一平均重量を順次算出するとともに、当該第一平均重量を平均重量記憶部に順次記憶させていき、
さらに、前記平均重量記憶部に第一平均重量が順次記憶されていくと、前記サンプリング数の第一平均重量の移動平均である第二平均重量を順次算出するとともに、当該第二平均重量を平均重量記憶部に順次記憶させていくようにして、第ｍ平均重量を順次算出して記憶させ、
前記平均処理パラメータは、第ｍ平均重量を表示するように対応付けられた設定数ｍであり、
前記平均重量表示制御部は、前記選択された測定モードの設定数ｍを基準にして設定数ｍが大きくなるように変更が加えられることにより、表示する平均重量の安定性を改善し、一方、前記選択された測定モードの設定数ｍを基準にして設定数ｍが小さくなるように変更が加えられることにより、表示する平均重量の応答性を改善することを特徴とする請求項１に記載の電子天秤。
【請求項４】
さらに、前記測定重量記憶部に順次記憶される測定重量の時間的な変化を示す変動幅を順次算出する算出部を備え、
前記平均処理パラメータは、安定状態であるか否かを判定するための測定重量の変動幅の第一閾値であり、
前記平均重量表示制御部は、前記変動幅が第一閾値以内になったときには安定状態であると判定して、サンプリング数の測定重量を平均した平均重量を表示部に表示し、一方、前記変動幅が第一閾値以内にないときには安定状態でないと判定して、前記安定状態のサンプリング数より小さいサンプリング数の測定重量を平均した平均重量若しくは測定重量を表示部に表示し、
前記選択された測定モードの第一閾値を基準にして第一閾値が大きくなるように変更が加えられることにより、安定状態と判定しやすくし、一方、前記選択された測定モードの第一閾値を基準にして第一閾値が小さくなるように変更が加えられることにより、安定状態と判定しにくくすることを特徴とする請求項１に記載の電子天秤。
【請求項５】
さらに、前記測定重量記憶部に順次記憶される測定重量の時間的な変化を示す変動幅を順次算出する算出部を備え、
前記平均処理パラメータは、安定状態であるか否かを判定するための、前記測定重量の変動幅の第一閾値と、前記測定重量の変動幅が第一閾値以下になった状態の継続時間の第二閾値とであり、
前記平均重量表示制御部は、前記変動幅が第一閾値以下になってからの継続時間が第二閾値より長い期間継続したときには安定状態であると判定して、サンプリング数の測定重量を平均した平均重量を表示部に表示し、一方、前記変動幅が第一閾値以下になってからの継続時間が第二閾値より長い期間継続しなかったときには安定状態でないと判定して、前記安定状態のサンプリング数より小さいサンプリング数の測定重量を平均した平均重量若しくは測定重量を表示部に表示し、
前記選択された測定モードの第二閾値を基準にして第二閾値が短くなるように変更が加えられることにより、安定状態と判定しやすくし、一方、前記選択された測定モードの第二閾値を基準にして第二閾値が長くなるように変更が加えられることにより、安定状態と判定しにくくすることを特徴とする請求項１に記載の電子天秤。
【請求項６】
さらに、変更が加えられた平均処理パラメータを示す画像を表示部に表示する平均処理パラメータ表示制御部を備えることを特徴とする請求項１〜５のいずれか１項に記載の電子天秤。
【発明の詳細な説明】
【技術分野】
【０００１】
本発明は、電子天秤に関し、さらに詳細には被計量物や計量作業や作業環境の状況に応じて適切な測定モード（表示条件）を選択して測定を行うことができる電子天秤に関する。
【背景技術】
【０００２】
一般に、電子天秤において、被計量物の重量を検出した測定重量には、被計量物の計量皿への載置時の振動や、気流や床振動等の周囲環境による外部からの振動が含まれることが多い。例えば、空調から吹き出される気流の影響を受けるところで被計量物を計量する場合には、空調の気流による天秤のゆれが生じるので、いつまでたっても測定重量が変動する。
そこで、気流の影響を防止するための風防構造を備える電子天秤が開示されている（例えば、特許文献１参照）。【０００３】
一方、被計量物の測定重量の変動を、平均処理により除くようにした電子天秤も利用されている。すなわち、被計量物の重量を次々と繰り返し検出することにより、測定重量を順次バッファに記憶させ、バッファに記憶された測定重量のうち予め設定したサンプリング数の測定重量を平均化することにより平均重量を算出し、平均重量を表示画面に表示する平均処理機能を備えた電子天秤が開発されている。【０００４】
平均処理機能を備えた電子天秤では、被計量物を計量皿から加除した直後に生じる振動状態での測定重量を、平均処理のサンプリングデータから除外する必要がある。そのため、振動状態であるか否かを判定する測定重量の変動幅の閾値（以下、平均開始解除重量変動量という）と、測定重量の変動幅が平均開始解除重量変動量以下になった状態の継続時間の閾値（以下、安定継続時間という）とを設定し、次々と検出される測定重量とこれら閾値との関係から振動状態であるか否かを判定する。
すなわち、次々と検出される測定重量の時間的な変化を示す重量変動量（重量変動幅）が平均開始解除重量変動量以下になったと判定するとともに、平均開始解除重量変動量以下になってからの継続時間が安定継続時間より長い期間継続したと判定することにより、「安定状態」であると判定され、平均処理が可能な状態にあると判定されるようにしている。【０００５】
そして、「安定状態」と判定されると、測定重量の採取を開始し、予め設定したサンプリング数の測定重量が採取されると、これらの平均重量を算出して、その算出された平均重量を、被計量物の「重量」の計測結果として表示画面に表示するようにしている。
このように、測定重量に様々な振動ノイズが含まれる場合に、それらの影響が低減され、「安定状態」になってから平均重量が得られるようにしてある。【０００６】
ところで、平均処理機能を備えた電子天秤では、予め設定してあるサンプリング数の測定重量を収集して平均重量を算出するため、設定したサンプリング数が大きいと平均重量を表示画面に表示するまでに時間を要し、その結果、測定者が被計量物の平均重量を得るのに時間がかかることになる。逆に、設定したサンプリング数が小さいと平均化の効果が小さくなり、安定した平均重量が得られにくくなる。【０００７】
また、被計量物（例えば、粉や液体等）を少量ずつ追加して（あるいは除去して）所望量を量り取る場合に、加除動作前後の測定重量は平均処理から除外するようにしておかないと、加除前後の測定重量を平均処理した値を表示してしまうことになる。しかしながら、被計量物を追加したり取り除いたりすることによる重量変動量が小さくなると、その重量変動量が予め設定してある平均開始解除重量変動量以下となり、しかも安定継続時間以上継続してしまうことになり、不適切なサンプリングによる平均重量が表示されてしまう。【０００８】
したがって、被計量物の軽重や計量作業（単純な重量計測、量り取り計測など）、作業環境に応じて、平均処理の内容を、状況に適した内容に調整することが望まれる。
そこで、平均処理機能を備えた電子天秤において、平均処理の内容を、被計量物や計量作業や作業環境に対応して適切な内容に調整する「測定モード」を選択できるようにした電子天秤が開発されている。【０００９】
例えば、一般的な測定に適した平均処理には「標準測定モード」を設け、少量の被計量物を次々と追加（あるいは除去）しつつ所望量を量り取る量り取り測定用には「量り取り測定モード」を設ける。床振動等の外部振動が多い環境下での測定が必要な場合にはさらに「耐外乱モード」を設ける。さらにこれら以外の測定モードを追加してもよい。
そして、平均処理を行うに際して設定が必要となるサンプリング数、平均開始解除重量変動量、安定継続時間等のパラメータを、「平均処理パラメータ」として測定モードごとに適切な値を与えるようにし、各測定モードが選択されると、それぞれのサンプリング数、平均開始解除重量変動量、安定継続時間等の下で平均処理を行う。【００１０】
その結果、標準測定モードに設定されたサンプリング数を基準とすると、それよりも小さいサンプリング数が設定された測定モードを選択すると平均重量を算出する時間が標準測定モードより短くなるので、すなわち表示される平均重量の応答性を速くすることになるので、被計量物を載置したり取り除いたりすることを素早く行えるようになる。また、標準測定モードに設定された平均開始解除重量変動量を基準として、それよりも小さい平均開始解除重量変動量が設定された測定モードを選択すると、少量の被計量物（例えば、粉や液体等）を次々と追加（除去）する場合に、被計量物を追加したり取り除いたりすることによる重量変動量が、平均開始解除重量変動量よりも大きくなりやすく、加除動作中は平均処理が開始されにくくすることができる。
以下、説明を簡略にするため、それぞれ異なるサンプリング数が予め設定された「標準測定モード」と「量り取り測定モード」との二つの測定モードが選択できる平均処理機能を備えた電子天秤として説明する。【００１１】
上述したように平均処理機能を備えた電子天秤では、平均処理により算出された平均重量を、被計量物の「重量」の測定結果として表示画面に表示するようにしている。その際、電子天秤では「安定状態」になっていることが要求されるとともに、測定結果を得るまでの応答性の速さが要求される。
ここで、「安定状態」になった電子天秤における「平均重量の安定性」と「平均重量の応答性」とについて説明する。
「平均重量の安定性」は、平均重量を算出するときのサンプリング数を大きく設定すればするほど改善される。しかし、サンプリング数が大きくなると、表示画面に平均重量を表示するまでに要する時間が長くなる。
一方、「平均重量の応答性」を速くするためには、平均重量を算出するサンプリング数を小さく設定すればするほど改善される。しかし、サンプリング数が小さくなると、様々な振動ノイズの影響を低減できずに平均重量が変動しやすくなる。
つまり、「平均重量の安定性」と「平均重量の応答性」とは相反する性質がある。【００１２】
よって、従来の電子天秤においては、「平均重量の安定性」と「平均重量の応答性」とのバランスが考慮されて、サンプリング数が大きく設定された「標準測定モード」と、サンプリング数が小さく設定された「量り取り測定モード」との二つの測定モード（表示条件）が予め記憶されている。これにより、電子天秤の使用者は、それぞれの用途や使用環境に対応するように、「標準測定モード」と「量り取り測定モード」とのいずれかを選択して、被計量物を計量していた。
【特許文献１】特開平９−４３０４１号公報
【発明の開示】
【発明が解決しようとする課題】
【００１３】
ところで、従来の電子天秤においては、電子天秤の使用者は、「標準測定モード」か「量り取り測定モード」かのどちらか一方を選択して、被計量物を計量するようにしていた。
しかしながら、用途や使用環境によっては、「標準測定モード」か「量り取り測定モード」かのどちらか一方に決められるものでもなく、「標準測定モード」で測定中に、現在の「標準測定モード」よりも「応答性をもう少し速くしたい」ときや、「使用環境が悪いから安定性をもう少し高めたい」ときがあった。すなわち、電子天秤自体に客観的に設定されている安定性や応答性を調整する「測定モード」の変更を行うのではなく、使用者が現在測定中の主観的な安定性や応答性を基準に、安定性や応答性の変更を感覚的に加えたいことがあった。
そこで、本発明は、「平均重量の安定性」と「平均重量の応答性」等のバランスを感覚的に自由に設定することができる電子天秤を提供することを目的とする。
【課題を解決するための手段】
【００１４】
上記課題を解決するためになされた本発明の電子天秤は、被計量物の重量を次々と検出することにより、検出した測定重量を測定重量記憶部に順次記憶させる測定重量記憶制御部と、それぞれ異なる平均処理パラメータが予め設定された複数の測定モードを記憶する測定モード記憶部と、前記測定モード記憶部に記憶された複数の測定モードの内から一つの測定モードを選択する入力操作を行う測定モード用入力部と、選択された測定モードの平均処理パラメータに基づいて、前記測定重量記憶部に記憶された複数の測定重量を平均して平均重量を算出し、当該平均重量を表示部に表示する平均重量表示制御部とを備える電子天秤であって、さらに、選択された測定モードの平均処理パラメータに変更を加える入力操作を行う追加変更用入力部を備え、前記平均重量表示制御部は、変更を加えられた平均処理パラメータに基づいて、複数の測定重量を平均して平均重量を算出し、当該平均重量を表示部に表示するようにしている。【００１５】
ここで、「平均処理パラメータ」とは、測定重量を平均処理した平均重量を表示部に表示するために設定される値のことをいい、例えば、サンプリング数、平均開始解除重量変動量、安定継続時間等のことをいう。
なお、サンプリング数とは、平均処理する測定重量の数をいう。よって、サンプリング数を大きく設定すればするほど「平均重量の安定性」は達成されるが、サンプリング数が大きくなると、表示部に平均重量を表示するまでに要する時間が長くなる。一方、サンプリング数を小さく設定すればするほど「平均重量の応答性」は達成されるが、サンプリング数が小さくなると、様々な振動ノイズの影響を低減できずに平均重量が変動しやすくなる。
また、平均開始解除重量変動量は、「安定状態」であるか否かを判定する測定重量の変動幅の第一閾値をいう。よって、平均開始解除重量変動量を大きく設定すればするほど「安定状態」と判定されやすくなり、その結果、安定した平均重量を算出して平均重量を表示することにより、表示する測定結果の「安定性」は達成されやすくなるが、平均重量を算出するため平均重量を表示するまでに要する時間が長くなりやすくなる。一方、平均開始解除重量変動量を小さく設定すればするほど「安定状態」と判定されにくくなり、その結果、安定した平均重量を表示しないため、表示する測定結果の「応答性」は達成されやすくなるが、様々な振動ノイズの影響を低減した平均重量が表示されにくくなる。
また、安定継続時間は、測定重量の変動幅が平均開始解除重量変動量以下になった状態の継続時間の第二閾値をいう。よって、安定継続時間を長く設定すればするほど「安定状態」と判定されやすくなり、その結果、安定した平均重量を算出して平均重量を表示することにより、表示する測定結果の「安定性」は達成されやすくなるが、平均重量を算出するため平均重量を表示するまでに要する時間が長くなりやすくなる。一方、安定継続時間を短く設定すればするほど「安定状態」と判定されにくくなり、その結果、安定した平均重量を表示しないため、表示する測定結果の「応答性」は達成されやすくなるが、様々な振動ノイズの影響を低減した平均重量が表示されにくくなる。
また、「測定モード」としては、平均処理パラメータのサンプリング数、平均開始解除重量変動量、安定継続時間等の少なくとも１つが予め設定され、例えば、平均処理パラメータのサンプリング数、平均開始解除重量変動量、安定継続時間等の全てが、一般的な測定に適するように設定された「標準測定モード」や、少量の被計量物を次々と追加（あるいは除去）しつつ所望量を量り取る測定に適するように設定された「量り取り測定モード」や、床振動等の外部振動が多い環境下での測定に適するように設定された「耐外乱モード」等が挙げられる。【００１６】
本発明の電子天秤によれば、まず、測定モード用入力部で複数の測定モードの内から一つの測定モードを選択する。さらに、追加変更用入力部を用いて、選択した測定モードの平均処理パラメータを調整することにより、表示される平均重量をより安定させたり、表示される平均重量の応答性をより速くしたりするように変更できる。
（発明の効果）
以上のように、本発明の電子天秤によれば、複数の測定モードの内から一つの測定モードを選択して、電子天秤の使用者が、選択した測定モードで測定中に、現在の測定モードよりも「応答性をもう少し速くしたい」ときや、「使用環境が悪いから安定性をもう少し高めたい」と感じても、使用者が現在測定中の主観的な安定性や応答性を基準にして、「平均重量の安定性」と「平均重量の応答性」等のバランスを感覚的に自由に設定することができる。【００１７】
（その他の課題を解決するための手段及び効果）
また、本発明の電子天秤は、前記平均処理パラメータは、平均処理する測定重量の数であるサンプリング数であり、前記平均重量表示制御部は、前記選択された測定モードのサンプリング数を基準にしてサンプリング数が大きくなるように変更が加えられることにより、表示する平均重量の安定性を改善し、一方、前記選択された測定モードのサンプリング数を基準にしてサンプリング数が小さくなるように変更が加えられることにより、表示する平均重量の応答性を改善するようにしている。【００１８】
また、本発明の電子天秤は、前記平均重量表示制御部は、前記測定重量記憶部に測定重量が順次記憶されていくと、平均処理する測定重量の数であるサンプリング数の測定重量の移動平均である第一平均重量を順次算出するとともに、当該第一平均重量を平均重量記憶部に順次記憶させていき、さらに、前記平均重量記憶部に第一平均重量が順次記憶されていくと、前記サンプリング数の第一平均重量の移動平均である第二平均重量を順次算出するとともに、当該第二平均重量を平均重量記憶部に順次記憶させていくようにして、第ｍ平均重量を順次算出して記憶させ、前記平均処理パラメータは、第ｍ平均重量を表示するように対応付けられた設定数ｍであり、前記平均重量表示制御部は、前記選択された測定モードの設定数ｍを基準にして設定数ｍが大きくなるように変更が加えられることにより、表示する平均重量の安定性を改善し、一方、前記選択された測定モードの設定数ｍを基準にして設定数ｍが小さくなるように変更が加えられることにより、表示する平均重量の応答性を改善するようにしている。
ここで、設定数とは、第ｍ平均重量を表示するｍを示す数をいう。よって、設定数を大きく設定すればするほど「平均重量の安定性」は達成されるが、設定数が大きくなると、表示部に平均重量を表示するまでに要する時間が長くなる。一方、設定数を小さく設定すればするほど「平均重量の応答性」は達成されるが、設定数が小さくなると、様々な振動ノイズの影響を低減できずに平均重量が変動しやすくなる。【００１９】
また、本発明の電子天秤は、さらに、前記測定重量記憶部に順次記憶される測定重量の時間的な変化を示す変動幅を順次算出する算出部を備え、前記平均処理パラメータは、安定状態であるか否かを判定するための測定重量の変動幅の第一閾値であり、前記平均重量表示制御部は、前記変動幅が第一閾値以内になったときには安定状態であると判定して、サンプリング数の測定重量を平均した平均重量を表示部に表示し、一方、前記変動幅が第一閾値以内にないときには安定状態でないと判定して、前記安定状態のサンプリング数より小さいサンプリング数の測定重量を平均した平均重量若しくは測定重量を表示部に表示し、前記選択された測定モードの第一閾値を基準にして第一閾値が大きくなるように変更が加えられることにより、安定状態と判定しやすくし、一方、前記選択された測定モードの第一閾値を基準にして第一閾値が小さくなるように変更が加えられることにより、安定状態と判定しにくくするするようにしている。【００２０】
さらに、本発明の電子天秤は、さらに、前記測定重量記憶部に順次記憶される測定重量の時間的な変化を示す変動幅を順次算出する算出部を備え、前記平均処理パラメータは、安定状態であるか否かを判定するための、前記測定重量の変動幅の第一閾値と、前記測定重量の変動幅が第一閾値以下になった状態の継続時間の第二閾値とであり、前記平均重量表示制御部は、前記変動幅が第一閾値以下になってからの継続時間が第二閾値より長い期間継続したときには安定状態であると判定して、サンプリング数の測定重量を平均した平均重量を表示部に表示し、一方、前記変動幅が第一閾値以下になってからの継続時間が第二閾値より長い期間継続しなかったときには安定状態でないと判定して、前記安定状態のサンプリング数より小さいサンプリング数の測定重量を平均した平均重量若しくは測定重量を表示部に表示し、前記選択された測定モードの第二閾値を基準にして第二閾値が短くなるように変更が加えられることにより、安定状態と判定しやすくし、一方、前記選択された測定モードの第二閾値を基準にして第二閾値が長くなるように変更が加えられることにより、安定状態と判定しにくくするするようにしている。
さらに、本発明の電子天秤は、さらに、変更が加えられた平均処理パラメータを示す画像を表示部に表示する平均処理パラメータ表示制御部を備えるようにしている。
本発明の電子天秤によれば、変更が加えられた平均処理パラメータを示す画像が表示部に表示されるので、電子天秤の使用者は、容易に「平均重量の安定性」と「平均重量の応答性」等のバランスを把握することができる。
【図面の簡単な説明】
【００２１】
【図１】本発明に係る電子天秤の構成を示すブロック図である。
【図２】図１に示す電子天秤の操作パネルと液晶表示画面との一例を示す図である。
【図３】平均重量を算出する算出方法について説明するための図である。
【図４】重量変動量を算出する算出方法について説明するための図である。
【図５】平均重量の値と表示時間との関係を示すグラフである。
【図６】本発明に係る他の電子天秤の構成を示すブロック図である。
【符号の説明】
【００２２】
１、１０１  電子天秤
３１、１３１  平均重量表示制御部
３３、１３３  測定重量記憶制御部
４１、１４１  測定重量記憶部
４２、１４２  測定モード記憶部
４３、１４３  平均重量記憶部
６０  液晶表示画面（表示部）
７１  追加変更用スイッチ（追加変更用入力部）
７２  測定モード用スイッチ（測定モード用入力部）
【発明を実施するための最良の形態】
【００２３】
以下、本発明の実施形態について図面を用いて説明する。なお、本発明は、以下の実施形態に限定されるものではなく、本発明の趣旨を逸脱しない範囲で種々の態様が含まれることはいうまでもない。【００２４】
（第１の実施の形態）
図１は、本発明に係る電子天秤の構成を示すブロック図であり、図２は、図１に示す電子天秤の操作パネル（入力部）と液晶表示画面（表示部）との一例を示す図である。また、図３は、第ｍ平均重量Ｘｍｔ（第ｍ平均重量の詳細については後述する）を算出する算出方法について説明するための図であり、図４は、重量変動量Ｗｔを算出する算出方法について説明するための図である。なお、「ｔ」は時間を示す。
本実施形態の電子天秤１では、設定数ｍ（平均処理パラメータ）を調整することにより、「平均重量の安定性」と「平均重量の応答性」とのバランスを設定することができるようになっている。具体的には、設定数ｍ＝１には、第１平均重量Ｘ１ｔを表示するように対応付け、設定数ｍ＝２には、第２平均重量Ｘ２ｔを表示するように対応付けるように、設定数ｍには、第ｍ平均重量Ｘｍｔを表示するように対応付けている。これにより、平均重量を算出するために収集する測定重量が合計４ｍ個となっているので、設定数ｍを大きく設定すればするほど、「平均重量の安定性」を達成することができ、逆に、設定数ｍを小さく設定すればするほど、「平均重量の応答性」を速くすることができることになる。
以下、説明を簡略にするため、平均処理パラメータとして設定数ｍのみを異ならせるように予め設定された「標準測定モード」と「量り取り測定モード」との２つの測定モードが選択できる平均処理機能を備えた電子天秤１として説明する。よって、平均処理パラメータとしてサンプリング数４、平均開始解除重量変動量（第一閾値）Ｗ、安定継続時間（第二閾値）Ｔは固定されているものとする。【００２５】
ここで、「標準測定モード」は、「平均重量の安定性」を重要視して設定されたものであり、本実施形態では、設定数（以下、標準測定モードの基準設定数ともいう）ｍ＝６として、第６平均重量Ｘ６ｔを表示するように予め設定されている。これにより、基準設定数ｍ＝６と大きくしているので、使用者が「標準測定モード」を選択したときには、測定重量に様々な振動ノイズが含まれていても、それらの影響を低減させた被計量物の平均重量を得ることができるようになる。
また、「量り取り測定モード」は、「平均重量の応答性」を重要視して設定されたものであり、本実施形態では、設定数（以下、量り取り測定モードの基準設定数ともいう）ｍ＝３として、第３平均重量Ｘ３ｔを表示するように予め設定されている。これにより、基準設定数ｍ＝３と小さくしているので、使用者が「量り取り測定モード」を選択したときには、平均重量を算出する時間が短くなり、被計量物を載置したり取り除いたりすることを素早く行えるようになる。【００２６】
電子天秤１は、重量検出器１０と、信号処理器２０と、マイクロコンピュータ５０と、操作パネル（入力部）７０と、液晶表示画面（表示部）６０とを備える。
重量検出器１０は、その計量皿の上面に載置された被計量物の重量をロードセル（図示せず）によって検出し、信号処理器２０にアナログ信号を所定の時間間隔で順次出力する。
信号処理器２０は、重量検出器１０から検出されたアナログ信号を増幅する増幅器２０ａと、増幅後のアナログ信号をデジタル信号（測定重量）に変換するＡ／Ｄ変換器２０ｂとを備える。【００２７】
マイクロコンピュータ５０は、ＣＰＵ（データ処理装置）３０と、メモリ４０とから構成される。
ＣＰＵ３０が処理する機能をブロック化して説明すると、測定重量記憶制御部３３と、平均重量表示制御部３１と、平均処理パラメータ表示制御部３２と、算出部３４とを有する。
また、メモリ４０は、測定重量（デジタル信号）を順次記憶する測定重量記憶部４１と、第ｍ平均重量を順次記憶する平均重量記憶部４３と、第６平均重量を表示するための基準設定数ｍ＝６（平均処理パラメータ）が予め設定された「標準測定モード」と第３平均重量を表示するための基準設定数ｍ＝３（平均処理パラメータ）が予め設定された「量り取り測定モード」との二つの測定モードを記憶する測定モード記憶部４２とを有する。【００２８】
操作パネル（入力部）５０は、「標準測定モード」と「量り取り測定モード」との内から一つの測定モードを選択するために使用者によって入力操作が行われる測定モード用スイッチ（測定モード用入力部）７２と、測定モード用スイッチ７２で選択された「標準測定モード」あるいは「量り取り測定モード」のどちらかの基準設定数ｍを調整するために使用者によって入力操作が行われる追加変更用スイッチ（追加変更用入力部）７１とを有する。
測定モード用スイッチ７２は、標準測定モードスイッチ（ＳＷ１）７２ａと、量り取り測定モードスイッチ（ＳＷ２）７２ｂとからなる。
具体的には、標準測定モードスイッチ７２ａを使用者が押圧することで、「標準測定モード」となり、その結果、平均処理パラメータが標準測定モードの基準設定数ｍ＝６となり、一方、量り取り測定モードスイッチ７２ｂを使用者が押圧することで、「量り取り測定モード」となり、その結果、平均処理パラメータが量り取り測定モードの基準設定数ｍ＝３となる。このように、使用者は、それぞれの用途や使用環境に対応するように、「標準測定モード」か「量り取り測定モード」かのどちらか一方の基準設定数ｍを平均処理パラメータとして選択することになる。なお、本発明では、後述するように、「標準測定モード」あるいは「量り取り測定モード」の基準設定数ｍをさらに調整して、被計量物を計量することになる。【００２９】
追加変更用スイッチ７１は、応答スイッチ７１ａと、安定スイッチ７１ｂとからなる。本実施形態では、選択した「標準測定モード」あるいは「量り取り測定モード」で決定される基準設定数ｍを基準として大小２段階に設定数ｍが調整可能となるように、合計５段階（ｍ−２、ｍ−１、ｍ、ｍ＋１、ｍ＋２）で調整することができるようになっている。
具体的には、応答スイッチ７１ａを使用者が１回押圧することで、設定数が現在の設定数ｍより小さく（ｍ−１）となるように調整して、これにより、液晶表示画面６０の測定結果重量表示領域６１に表示される平均重量の応答性をより速くし、さらに、応答スイッチ７１ａを使用者がもう１回押圧することで、さらに１だけ小さくなるように調整して、これにより、測定結果重量表示領域６１に表示される平均重量の応答性をより速くする。
また、安定スイッチ７１ｂを使用者が１回押圧することで、設定数が現在の設定数ｍより大きく（ｍ＋１）となるように調整して、これにより、測定結果重量表示領域６１に表示される平均重量をより安定し、さらに、安定スイッチ７１ｂを使用者がもう１回押圧することで、さらに１だけ大きくなるように調整して、これにより、測定結果重量表示領域６１に表示される平均重量をより安定する。【００３０】
平均処理パラメータ表示制御部３２は、追加変更された設定数ｍを示す画像を液晶表示画面６０の平均処理パラメータ表示領域６２に表示する制御を行うものである。
具体的には、本実施形態では、選択した「標準測定モード」あるいは「量り取り測定モード」で決定される基準設定数ｍを基準にして、大小２段階に設定数ｍが設定可能となるように、合計５段階で設定数ｍを調整することができるようになっているので、水平方向のバー上を左右方向に５段階で移動可能なマークを有するものとなっている。なお、バーの左方向Ｒが応答スイッチ７１ａの押圧に対応し、バーの右方向Ｓが安定スイッチ７１ｂの押圧に対応するようになっている。
これにより、例えば、使用者は、マークがバーの中心にあるときには、基準設定数ｍであることを把握することができ、マークがバーの中心から左方向に１段階移動しているときには、基準設定数ｍより１段階小さくなっていることを把握することができ、マークがバーの中心から右方向に２段階移動しているときには、基準設定数ｍより２段階大きくなっていることを把握することができるようになっている。【００３１】
測定重量記憶制御部３３は、重量検出器１０により被計量物の重量が検出され、信号処理器２０によりデジタル信号に変換された測定重量Ｘ０ｔを測定重量記憶部４１に所定の時間間隔で順次記憶させる制御を行うものである（図３参照）。
具体的には、使用者が重量検出器１０の計量皿の上面に被計量物を載置すると、重量検出器１０により被計量物の重量が検出され、信号処理器２０により測定重量Ｘ０ｔが測定重量記憶部（第１バッファ）４１に所定の時間間隔で順次記憶されていく。
算出部３４は、第１バッファ４１に時間ｔに記憶された測定重量Ｘ０ｔと、第１バッファ４１に時間（ｔ＋１）に記憶された測定重量Ｘ０（ｔ＋１）との時間的な変化を示す重量変動量Ｗｔを順次算出する制御を行うものである（図４参照）。
具体的には、時間ｔに測定重量Ｘ０ｔが記憶され、時間（ｔ＋１）に測定重量Ｘ０（ｔ＋１）が記憶されると、重量変動量Ｗｔ＝Ｘ０ｔ−（Ｘ０（ｔ＋１））が算出される。また、時間（ｔ＋２）に測定重量Ｘ０（ｔ＋２）が記憶されると、重量変動量Ｗ（ｔ＋１）＝（Ｘ０（ｔ＋１））−（Ｘ０（ｔ＋２））が算出される。このようにして、順次、重量変動量Ｗｔが算出されていく。【００３２】
平均重量表示制御部３１は、平均重量記憶制御部３１ａと、判定部３１ｂと、平均重量表示決定部３１ｃとを有する。
平均重量記憶制御部３１ａは、第１バッファ４１に測定重量Ｘ０ｔが順次記憶されていくと、サンプリング数４の測定重量Ｘ０ｔの移動平均である第一平均重量Ｘ１ｔを順次算出するとともに、第一平均重量Ｘ１ｔを平均重量記憶部４３に順次記憶させていき、さらに、平均重量記憶部４３に第一平均重量Ｘ１ｔが順次記憶されていくと、サンプリング数４の第一平均重量Ｘ１ｔの移動平均である第二平均重量Ｘ２ｔを順次算出するとともに、第二平均重量Ｘ２ｔを平均重量記憶部４３に順次記憶させていくようにして、第ｍ平均重量Ｘｍｔを順次算出して記憶させる制御を行うものである（図３参照）。
具体的には、第１バッファ４１に測定重量Ｘ０ｔが順次記憶されていくと、平均重量記憶制御部３１ａは、サンプリング数４の測定重量Ｘ０ｔの移動平均である第一平均重量Ｘ１ｔを順次算出するとともに、第一平均重量Ｘ１ｔを平均重量記憶部４３の第２バッファ４３ａに順次記憶させていく。
そして、さらに、第２バッファ４３ａに第１平均重量Ｘ１ｔが順次記憶されていくと、平均重量記憶制御部３１ａは、サンプリング数４の第１平均重量Ｘ１ｔの移動平均である第２平均重量Ｘ２ｔを順次算出するとともに、第２平均重量Ｘ２ｔを平均重量記憶部４３の第３バッファ４３ｂに順次記憶させていく。
このように、同様にして、平均重量記憶制御部３１ａは、第３平均重量Ｘ３ｔ、第４平均重量Ｘ４ｔ、第５平均重量Ｘ５ｔ、第６平均重量Ｘ６ｔ、第７平均重量Ｘ７ｔを順に算出していき、最後に、サンプリング数４の第７平均重量Ｘ７ｔの移動平均である第８平均重量Ｘ８ｔを算出していく。【００３３】
判定部３１ｂは、重量変動量Ｗｔが平均開始解除重量変動量（第一閾値）Ｗ以内になってからの継続時間が安定継続時間（第二閾値）Ｔより長い期間継続するか否かを順次判定する制御を行うものである（図４参照）。
具体的には、算出部３４で算出された重量変動量Ｗｔが平均開始解除重量変動量Ｗ以内に安定継続時間Ｔ（例えば、ｔからｔ＋４までの間）存在するか否かを判定する。また、次の重量変動量Ｗｔが算出部３４で算出されると、重量変動量Ｗｔが平均開始解除重量変動量Ｗ以内に安定継続時間Ｔ（例えば、ｔ＋１からｔ＋５までの間）存在するか否かを判定する。このようにして、順次、重量変動量Ｗｔが平均開始解除重量変動量Ｗ以内に安定継続時間Ｔ存在するか否かが判定されていく。
なお、重量変動量Ｗｔの変動が大きい場合には、使用者に知らせるために、上述した平均パラメータ表示領域６２のマークが点滅するようにしてもよい。【００３４】
平均重量表示決定部３１ｃは、操作パネル７０で調整された設定数ｍに基づいて、平均重量を液晶表示画面６０の測定結果重量表示領域６１に表示する制御を行うものである。
まず初めに、使用者が「標準測定モード」（基準設定数ｍ＝６）を選択した場合に、平均重量を測定結果重量表示領域６１に表示する表示方法について説明する（図３参照）。なお、この場合は、「標準測定モード」で決定される基準設定数ｍを全く調整しなかったことになる。
使用者が重量検出器１０の計量皿の上面に被計量物を載置すると、重量検出器１０により被計量物の重量が検出され、信号処理器２０により測定重量Ｘ０ｔが第１バッファ４１に順次記憶されていく。その後、算出部３４により算出された重量変動量Ｗｔが平均開始解除重量変動量Ｗ以内になってからの継続時間が安定継続時間Ｔより長い期間継続したと判定されたときに、平均重量記憶制御部３１ａによりサンプリング数４の第７平均重量Ｘ７ｔの移動平均である第８平均重量Ｘ８ｔが順次算出されていくが、「標準測定モード」を選択しただけの場合には、平均重量表示決定部３１ｃは、標準測定モードの基準設定数ｍ＝６に対応する第６平均重量Ｘ６ｔが算出されたときに、第６平均重量Ｘ６ｔを測定結果重量表示領域６１に順次表示する。つまり、合計４６個の測定重量を収集して、合計４６個の測定重量を平均することにより、平均重量を表示することになる。よって、使用者は、収集する測定重量が合計４６個と多いので、様々な振動ノイズの影響をより低減させた平均重量を得ることができるようになる。しかし、測定結果重量表示領域６１に平均重量を表示するまでに、平均重量記憶制御部３１ａが、第６平均重量Ｘ６ｔを算出するまでの時間がかかることになる。【００３５】
次に、使用者が「量り取り測定モード」（基準設定数ｍ＝３）を選択した場合に、平均重量を測定結果重量表示領域６１に表示する表示方法について図３を用いて説明する。なお、この場合は、「量り取り測定モード」で決定される基準設定数ｍを全く調整しなかったことになる。
上述した「標準測定モード」を選択した場合と同様に、使用者が重量検出器１０の計量皿の上面に被計量物を載置すると、重量変動量Ｗｔが平均開始解除重量変動量Ｗ以内になってからの継続時間が安定継続時間Ｔより長い期間継続したと判定されたときに、平均重量記憶制御部３１ａによりサンプリング数４の第７平均重量Ｘ７ｔの移動平均である第８平均重量Ｘ８ｔが算出されていくが、「量り取り測定モード」を選択しただけの場合には、平均重量表示決定部３１ｃは、量り取り測定モードの基準設定数ｍ＝３に対応する第３平均重量Ｘ３ｔが算出されたときに、第３平均重量Ｘ３ｔを測定結果重量表示領域６１に順次表示する。つまり、合計４３個の測定重量を収集して、合計４３個の測定重量を平均することにより、第３平均重量Ｘ３ｔを表示することになる。よって、使用者は、平均重量記憶制御部３１ａが、第３平均重量Ｘ３ｔを算出するまでの時間しかかけずに、平均重量を得ることができることになる。しかし、収集する測定重量が合計４３個と少ないので、様々な振動ノイズの影響を低減させきれずに平均重量を得ることになる。【００３６】
次に、使用者が「標準測定モード」を選択した場合に、測定結果重量表示領域６１に表示する平均重量をより安定するために、安定スイッチ７１ｂをｎ回押圧することによって設定数ｍの調整を行い、測定結果重量表示領域６１に平均重量を表示する表示方法について図３を用いて説明する。
上述した「標準測定モード」を選択した場合と同様に、使用者が重量検出器１０の計量皿の上面に被計量物を載置すると、重量変動量Ｗｔが平均開始解除重量変動量Ｗ以内になってからの継続時間が安定継続時間Ｔより長い期間継続したと判定されたときに、平均重量記憶制御部３１ａによりサンプリング数４の第７平均重量Ｘ７ｔの移動平均である第８平均重量Ｘ８ｔが算出されていくが、「標準測定モード」を選択して、安定スイッチ７１ｂをｎ回押圧した場合には、平均重量表示決定部３１ｃは、第（６＋ｎ）平均重量Ｘ（６＋ｎ）ｔが算出されたときに、第（６＋ｎ）平均重量Ｘ（６＋ｎ）ｔを測定結果重量表示領域６１に順次表示する。つまり、合計４（６＋ｎ）個の測定重量を収集して、合計４（６＋ｎ）個の測定重量を平均することにより、平均重量を表示することになる。すなわち、使用者は「標準測定モード」を選択した場合よりも、様々な振動ノイズの影響をより低減させた平均重量を得ることができるようになる。【００３７】
次に、使用者が「標準測定モード」を選択した場合に、測定結果重量表示領域６１に表示する平均重量の応答性をより速くするために、応答スイッチ７１ａをｎ回押圧することによって設定数ｍの調整を行い、測定結果重量表示領域６１に平均重量を表示する表示方法について図３を用いて説明する。
上述した「標準測定モード」を選択した場合と同様に、使用者が重量検出器１０の計量皿の上面に被計量物を載置すると、重量変動量Ｗｔが平均開始解除重量変動量Ｗ以内になってからの継続時間が安定継続時間Ｔより長い期間継続したと判定されたときに、平均重量記憶制御部３１ａによりサンプリング数４の第７平均重量Ｘ７ｔの移動平均である第８平均重量Ｘ８ｔが算出されていくが、「標準測定モード」を選択して、応答スイッチ７１ａをｎ回押圧した場合には、平均重量表示決定部３１ｃは、第（６−ｎ）平均重量Ｘ（６−ｎ）ｔが算出されたときに、第（６−ｎ）平均重量Ｘ（６−ｎ）ｔを測定結果重量表示領域６１に順次表示する。つまり、合計４（６−ｎ）個の測定重量を収集して、合計４（６−ｎ）個の測定重量を平均することにより、平均重量を表示することになる。すなわち、使用者は「標準測定モード」を選択した場合よりも、時間をかけずに、平均重量を得ることができることになる。【００３８】
なお、使用者が「量り取り測定モード」を選択した場合についても、「平均重量の応答性をもう少し速くしたい」ときや、「使用環境が悪いから平均重量の安定性をもう少し高めたい」と感じても、同様に、「平均重量の安定性」と「平均重量の応答性」とのバランスを自由に設定することができるので、説明することを省略することとする。【００３９】
以上のように、本発明の電子天秤１によれば、「標準測定モード」あるいは「量り取り測定モード」の内から一つの測定モードを選択して、電子天秤１の使用者が、選択した測定モードで測定中に、現在の測定モードよりも「応答性をもう少し速くしたい」ときや、「使用環境が悪いから安定性をもう少し高めたい」と感じても、使用者が現在測定中の主観的な安定性や応答性を基準にして、「平均重量の安定性」と「平均重量の応答性」のバランスを感覚的に自由に設定することができる。
なお、図５は、「標準測定モード」を選択した場合と、「標準測定モード」を選択して、応答スイッチ７１ａを２回押圧した場合と、「標準測定モード」を選択して、安定スイッチ７１ｂを２回押圧した場合との平均重量の値と表示時間との関係を示すグラフである。【００４０】
（第２の実施の形態）
図６は、本発明に係る他の電子天秤１０１の構成を示すブロック図である。電子天秤１０１では、上述した電子天秤１のように平均処理パラメータとして設定数ｍを調整するのではなく、安定状態であるか否かを判定するための平均開始解除重量変動量（第一閾値）Ｗの大きさを調整することにより、「安定性」と「応答性」とのバランスを設定するようにしている。具体的には、重量変動量Ｗｔが平均開始解除重量変動量Ｗ以内に存在するときには、第８平均重量Ｘ８ｔを測定結果重量表示領域６１に表示し、一方、重量変動量Ｗｔが平均開始解除重量変動量Ｗ以内に存在しないときには、測定重量Ｘ０ｔを測定結果重量表示領域６１に表示することになる。つまり、重量変動量Ｗｔが平均開始解除重量変動量Ｗ以内に存在するときには、平均重量を算出するために収集する測定重量が合計４８個となるので、表示する測定結果の「安定性」を達成することができ、逆に、重量変動量Ｗｔが平均開始解除重量変動量Ｗ以内に存在しないときには、測定重量Ｘ０ｔをそのまま表示することになるので、表示する測定結果の「応答性」を達成することができる。これにより、平均開始解除重量変動量Ｗを大きく設定すればするほど「安定状態」と判定されやすくなり、その結果、平均重量が表示されることにより、「安定性」のよい測定結果を得やすくなるが、平均重量を算出するため平均重量を表示するまでに要する時間が長くなりやすくなる。一方、平均開始解除重量変動量Ｗを小さく設定すればするほど「安定状態」と判定されにくくなり、その結果、平均重量を算出する時間が必要でないため「応答性」のよい測定結果を得やすくなるが、様々な振動ノイズの影響を低減した平均重量を得にくくなる。
以下、説明を簡略にするため、平均処理パラメータとして平均開始解除重量変動量Ｗの大きさのみを異ならせて予め設定された「標準測定モード」と「量り取り測定モード」との二つの測定モードが選択できる平均処理機能を備えた電子天秤１０１として説明する。よって、平均処理パラメータとしてサンプリング数４、設定数８は固定されているものとする。なお、第１の実施の形態の電子天秤１と同じ構成については、同じ符号を用いるとともに、説明することを省略する。【００４１】
ここで、「標準測定モード」は、「安定性」を重要視して設定されたものであり、本実施形態では、平均開始解除重量変動量（以下、標準測定モードの基準平均開始解除重量変動量ともいう）Ｗを（ｗ＋６Ｌ）として、平均開始解除重量変動量Ｗ＝（ｗ＋６Ｌ）以内になったときに平均質量を表示するように設定されている。なお、「ｗ」及び「Ｌ」は、予め設定された定数を示す。これにより、基準平均開始解除重量変動量Ｗ＝（ｗ＋６Ｌ）と大きくしているので、重量変動量Ｗｔが平均開始解除重量変動量Ｗ＝（ｗ＋６Ｌ）以内に存在しやすくしている。つまり、「安定状態」と判定されやすくしている。よって、「安定性」のよい測定結果を得やすくなる。
また、「量り取り測定モード」は、「応答性」を重要視して設定されたものであり、本実施形態では、平均開始解除重量変動量（以下、量り取り測定モードの基準平均開始解除重量変動量ともいう）Ｗを（ｗ＋３Ｌ）として、平均開始解除重量変動量Ｗ＝（ｗ＋３Ｌ）以内になったときに平均質量を算出するように設定されている。これにより、基準平均開始解除重量変動量Ｗ＝（ｗ＋３Ｌ）と小さくしているので、使用者が「量り取り測定モード」を選択したときには、重量変動量Ｗｔが平均開始解除重量変動量（ｗ＋３Ｌ）以内に存在しにくくしている。つまり、「安定状態」と判定されにくくしている。よって、「応答性」のよい測定結果を得やすくなる。【００４２】
電子天秤１０１は、重量検出器１０と、信号処理器２０と、マイクロコンピュータ５０と、操作パネル（入力部）７０と、液晶表示画面（表示部）６０とを備える。
マイクロコンピュータ５０は、ＣＰＵ（データ処理装置）３０と、メモリ４０とから構成される。
ＣＰＵ３０が処理する機能をブロック化して説明すると、測定重量記憶制御部３３と、平均重量表示制御部１３１と、平均処理パラメータ表示制御部１３２と、算出部３４とを有する。
また、メモリ４０は、測定重量（デジタル信号）を順次記憶する測定重量記憶部４１と、第ｍ平均重量を順次記憶する平均重量記憶部４３と、基準平均開始解除重量変動量Ｗ＝（ｗ＋６Ｌ）が予め設定された「標準測定モード」と基準平均開始解除重量変動量Ｗ＝（ｗ＋３Ｌ）が予め設定された「量り取り測定モード」との二つの測定モードを記憶する測定モード記憶部１４２とを有する。【００４３】
追加変更用スイッチ７１は、応答スイッチ７１ａと、安定スイッチ７１ｂとからなる。本実施形態では、選択した「標準測定モード」あるいは「量り取り測定モード」で決定される基準平均開始解除重量変動量Ｗを基準にして、大小２段階に平均開始解除重量変動量Ｗの大きさが設定可能となるように、合計５段階（Ｗ−２Ｌ、Ｗ−Ｌ、Ｗ、Ｗ＋Ｌ、Ｗ＋２Ｌ）で平均開始解除重量変動量Ｗの大きさを調整することができるようになっている。
具体的には、応答スイッチ７１ａを使用者が１回押圧することで、平均開始解除重量変動量が現在の平均開始解除重量変動量Ｗより小さく（Ｗ−Ｌ）となるように調整して、これにより、測定結果重量表示領域６１に「応答性」のよい測定結果が表示される機会をより多くし、さらに、応答スイッチ７１ａを使用者がもう１回押圧することで、さらに１だけ小さくなるように調整して、これにより、測定結果重量表示領域６１に「応答性」のよい測定結果が表示される機会をより多くする。
また、安定スイッチ７１ｂを使用者が１回押圧することで、平均開始解除重量変動量が現在の平均開始解除重量変動量Ｗより大きく（Ｗ＋Ｌ）となるように調整して、これにより、測定結果重量表示領域６１に「安定性」のよい測定結果が表示される機会をより多くし、さらに、安定スイッチ７１ｂを使用者がもう１回押圧することで、さらに１だけ大きくなるように調整して、これにより、測定結果重量表示領域６１に「安定性」のよい測定結果が表示される機会をより多くする。【００４４】
平均処理パラメータ表示制御部１３２は、平均開始解除重量変動量Ｗが調整された平均処理パラメータを示す画像を液晶表示画面６０の平均処理パラメータ表示領域６２に表示する制御を行うものである。
具体的には、本実施形態では、選択した「標準測定モード」あるいは「量り取り測定モード」で決定される基準平均開始解除重量変動量Ｗを基準にして、大小２段階に平均開始解除重量変動量Ｗの大きさが設定可能となるように、合計５段階で平均開始解除重量変動量Ｗの大きさを調整することができるようになっているので、水平方向のバー上を左右方向に５段階に移動可能なマークを有するものとなっている。なお、バーの左方向Ｒが応答スイッチ７１ａの押圧に対応し、バーの右方向Ｓが安定スイッチ７１ｂの押圧に対応するようになっている。
これにより、例えば、使用者は、マークがバーの中心にあるときには、基準平均開始解除重量変動量Ｗであることを把握することができ、マークがバーの中心から左方向に１段階移動しているときには、基準平均開始解除重量変動量Ｗより１段階小さくなっていることを把握することができ、マークがバーの中心から右方向に２段階移動しているときには、基準平均開始解除重量変動量Ｗより２段階大きくなっていることを把握することができるようになっている。【００４５】
平均重量表示制御部１３１は、平均重量記憶制御部３１ａと、判定部１３１ｂと、平均重量表示決定部１３１ｃとを有する。
判定部１３１ｂは、操作パネル７０で調整された平均開始解除重量変動量Ｗに基づいて、重量変動量Ｗｔが平均開始解除重量変動量（第一閾値）Ｗ以内になったか否かを順次判定して、重量変動量Ｗｔが平均開始解除重量変動量（第一閾値）Ｗ以内になったときには、安定状態と判定する制御を行うものである（図４参照）。
具体的には、算出部３４で算出された重量変動量Ｗｔが平均開始解除重量変動量Ｗ以内になったか否かを判定する。また、次の重量変動量Ｗｔが算出部３４で算出されると、重量変動量Ｗｔが平均開始解除重量変動量Ｗ以内になったか否かを判定する。このようにして、順次、重量変動量Ｗｔが平均開始解除重量変動量Ｗ以内になったか否かが判定され、安定状態であるか否かを判定していく。
このとき、平均開始解除重量変動量Ｗが大きく設定されていればいるほど「安定状態」と判定されやすくなり、その結果、「安定性」のよい測定結果を得やすくなり、一方、平均開始解除重量変動量Ｗが小さく設定されていればいるほど「安定状態」と判定されにくくなり、その結果、「応答性」のよい測定結果を得やすくなる。【００４６】
平均重量表示決定部１３１ｃは、判定部１３１ｂの判定結果に基づいて、平均重量を液晶表示画面６０の測定結果重量表示領域６１に表示する制御を行うものである。
まず初めに、使用者が「標準測定モード」を選択した場合に、平均重量を測定結果重量表示領域６１に表示する表示方法について説明する。なお、この場合は、「標準測定モード」で決定される平均開始解除重量変動量Ｗを全く調整しなかったことになる。
使用者が重量検出器１０の計量皿の上面に被計量物を載置すると、重量検出器１０により被計量物の重量が検出され、信号処理器２０により測定重量Ｘ０ｔが測定重量記憶部４１に順次記憶されていく。
そして、算出部３４により重量変動量Ｗｔが算出されていくが、「標準測定モード」を選択しただけの場合には、平均重量表示決定部１３１ｃは、重量変動量Ｗｔが標準測定モードの基準平均開始解除重量変動量Ｗ＝（ｗ＋６Ｌ）以内になったと判定されるまで、測定重量Ｘ０ｔを測定結果重量表示領域６１に順次表示する。
その後、平均重量表示決定部１３１ｃは、重量変動量Ｗｔが基準平均開始解除重量変動量Ｗ＝（ｗ＋６Ｌ）以内になったと判定されたときに、平均重量記憶制御部３１ａで算出される第８平均重量Ｘ８ｔを測定結果重量表示領域６１に順次表示する。つまり、合計４８個の測定重量を収集して、合計４８個の測定重量を平均することにより、平均重量を表示することになる。よって、使用者は、様々な振動ノイズの影響をより低減させた平均重量を得ることができるようになる。しかし、測定結果重量表示領域６１に平均重量を表示するまでに、平均重量記憶制御部３１ａが、第８平均重量Ｘ８ｔを算出するまでの時間がかかることになる。このとき、平均開始解除重量変動量Ｗが（ｗ＋６Ｌ）と大きいので、重量変動量Ｗｔが平均開始解除重量変動量Ｗ＝（ｗ＋６Ｌ）以内に存在しやすくなり、その結果、４８個の測定重量Ｘ０ｔを平均することにより第８平均重量Ｘ８ｔを算出して、その算出された第８平均重量Ｘ８ｔを測定結果重量表示領域６１に表示する機会が多くなることになる。【００４７】
次に、使用者が「量り取り測定モード」を選択した場合に、平均重量を測定結果重量表示領域６１に表示する表示方法について説明する。なお、この場合は、「量り取り測定モード」で決定される平均開始解除重量変動量Ｗを全く調整しなかったことになる。
上述した「標準測定モード」を選択した場合と同様に、使用者が重量検出器１０の計量皿の上面に被計量物を載置すると、重量検出器１０により被計量物の重量が検出され、信号処理器２０により測定重量Ｘ０ｔが測定重量記憶部４１に順次記憶されていく。
そして、算出部３４により重量変動量Ｗｔが算出されていくが、「標準測定モード」を選択しただけの場合には、平均重量表示決定部１３１ｃは、重量変動量Ｗｔが量り取り測定モードの基準平均開始解除重量変動量Ｗ＝（ｗ＋３Ｌ）以内になったと判定されるまで、測定重量Ｘ０ｔを測定結果重量表示領域６１に順次表示する。
その後、平均重量表示決定部１３１ｃは、重量変動量Ｗｔが基準平均開始解除重量変動量Ｗ＝（ｗ＋３Ｌ）以内になったと判定されときに、平均重量記憶制御部３１ａで算出される第８平均重量Ｘ８ｔを測定結果重量表示領域６１に順次表示する。
このとき、平均開始解除重量変動量Ｗが（ｗ＋３Ｌ）と小さいので、重量変動量Ｗｔが平均開始解除重量変動量Ｗ＝（ｗ＋３Ｌ）以内に存在しにくくなり、その結果、平均重量ではなく、検出された測定重量Ｘ０ｔをそのまま測定結果重量表示領域６１に表示する機会が多くなることになる。【００４８】
次に、使用者が「標準測定モード」を選択した場合に、測定結果重量表示領域６１に「安定性」のよい測定結果を表示する機会をより多くするために、安定スイッチ７１ｂをｎ回押圧することによって平均開始解除重量変動量Ｗの調整を行い、測定結果重量表示領域６１に平均重量を表示する表示方法について説明する。
上述した「標準測定モード」を選択した場合と同様に、使用者が重量検出器１０の計量皿の上面に被計量物を載置すると、重量検出器１０により被計量物の重量が検出され、信号処理器２０により測定重量Ｘ０ｔが測定重量記憶部４１に順次記憶されていく。
そして、算出部３４により重量変動量Ｗｔが算出されていくが、「標準測定モード」を選択して、安定スイッチ７１ｂをｎ回押圧した場合には、平均重量表示決定部１３１ｃは、重量変動量Ｗｔが平均開始解除重量変動量（ｗ＋（６＋ｎ）Ｌ）以内になったと判定されるまで、測定重量Ｘ０ｔを測定結果重量表示領域６１に順次表示する。
その後、平均重量表示決定部１３１ｃは、重量変動量Ｗｔが平均開始解除重量変動量Ｗ＝（ｗ＋（６＋ｎ）Ｌ）以内になったと判定されたときに、平均重量記憶制御部３１ａで算出される第８平均重量Ｘ８ｔを測定結果重量表示領域６１に順次表示する。
すなわち、使用者は「標準測定モード」を選択した場合よりも平均開始解除重量変動量Ｗが大きくなっているので、「安定性」がよい測定結果を得る機会を多くしている。【００４９】
次に、使用者が「標準測定モード」を選択した場合に、測定結果重量表示領域６１に「応答性」のよい測定結果を表示する機会をより多くするために、応答スイッチ７１ａをｎ回押圧することによって平均開始解除重量変動量Ｗの調整を行い、測定結果重量表示領域６１に平均重量を表示する表示方法について説明する。
上述した「標準測定モード」を選択した場合と同様に、使用者が重量検出器１０の計量皿の上面に被計量物を載置すると、重量検出器１０により被計量物の重量が検出され、信号処理器２０により測定重量Ｘ０ｔが測定重量記憶部４１に順次記憶されていく。
そして、算出部３４により重量変動量Ｗｔが算出されていくが、「標準測定モード」を選択して、応答スイッチ７１ａをｎ回押圧した場合には、平均重量表示決定部１３１ｃは、重量変動量Ｗｔが平均開始解除重量変動量Ｗ＝（ｗ＋（６−ｎ）Ｌ）以内になったと判定されるまで、測定重量Ｘ０ｔを測定結果重量表示領域６１に順次表示する。
その後、平均重量表示決定部１３１ｃは、重量変動量Ｗｔが平均開始解除重量変動量（ｗ＋（６−ｎ）Ｌ）以内になったと判定したときに、平均重量記憶制御部３１ａで算出される第８平均重量Ｘ８ｔを測定結果重量表示領域６１に順次表示する。
すなわち、使用者は「標準測定モード」を選択した場合よりも平均開始解除重量変動量Ｗが小さくなっているので、「応答性」がよい測定結果を得る機会が多くすることになる。【００５０】
以上のように、本発明の電子天秤１０１によれば、本発明の電子天秤１０１によれば、「標準測定モード」あるいは「量り取り測定モード」の内から一つの測定モードを選択して、電子天秤１の使用者が、選択した測定モードで測定中に、現在の測定モードよりも「応答性のよい測定結果が欲しい」ときや、「使用環境が悪いから安定性のよい測定結果が欲しい」と感じても、使用者が現在測定中の主観的な安定性や応答性を基準にして、「安定性」と「応答性」のバランスを感覚的に自由に設定することができる。【００５１】
（他の実施形態）
（１）上述した電子天秤１では、平均処理パラメータとして設定数ｍを調整する構成としたが、サンプリング数、安定継続時間を調整する構成としてもよく、また、複数の平均処理パラメータを調整する構成としてもよい。
【産業上の利用可能性】
【００５２】
本発明は、被計量物や計量作業や作業環境の状況に応じて適切な測定モード（表示条件）を選択して測定を行うことができる電子天秤に利用することができる。
【図１】
2009031190.tif 000003
【図２】
2009031190.tif 000004
【図３】
2009031190.tif 000005
【図４】
2009031190.tif 000006
【図５】
2009031190.tif 000007
【図６】
2009031190.tif 000008
【国際調査報告】
2009031190.tif 000009
2009031190.tif 000010